(57)【特許請求の範囲】
【請求項１】
外周プレートに固定して取り付けられると共に音声信号が入力される１次コイルと、
上記１次コイルと対向するように磁気ギャップを介して内周側に位置してボビンに取り付けられる２次コイルと、
上記ボビンに取り付けられる振動板と、
上記磁気ギャップ内に上記２次コイルを位置させる磁気回路とを備え、
上記１次コイルの引出し線は、上記外周プレートの内周側から外周側に亘って設けられた切欠部に配設されることを特徴とするスピーカ装置。
【発明の詳細な説明】
【０００１】
【発明の属する技術分野】
本発明は、スピーカ装置に関する。
【０００２】
【従来の技術】
従来、スピーカ装置の中には、内磁型のスピーカ装置と外磁型のスピーカ装置が知られている。
【０００３】
内磁型のスピーカ装置１００は、図５及び図６に示すように、マグネット１０１と、このマグネット１０１を囲むように形成された全体として略凹状を呈したヨーク１０２とを有する。このヨーク１０２は、その上側に設けられた開口部１０３の周縁に音声信号が供給される１次コイル１０４が設けられている。この１次コイル１０４は、その引出し線１０６がヨーク１０２の上面に外周方向に沿って引き出されている。一方、マグネット１０１には、その上面に円盤状のポールピース１０５が配設されている。このポールピース１０５は、その端面と、この端面と対向するヨークの開口部１０３を構成する端面とで磁気ギャップ１０７を構成している。
【０００４】
この磁気ギャップ１０７には、ボビン１０８が配設され、このボビン１０８の外周面には、上記１次コイル１０４と対向して１ターンの２次コイル１０９が設けられている。そして、このボビン１０８には、全体としてドーム状を呈した振動板１１０が取り付けられている。そして、この振動板１１０は、その側縁から連続してエッジ部１１１が湾状に設けられその端部がヨーク１０２の上面に固定されている。
【０００５】
このように構成されたスピーカ装置１００は、１次コイル１０４に電流が供給されると、２次コイル１０９が誘導されてローレンツ力により振動板１１０を振動させる。そして、このようなスピーカ装置１００によれば、１次コイル１０４が熱伝導特性に優れた金属材料により形成されるヨーク１０２に直接巻回されることから、大きな信号を入力した場合にも熱的に破損しにくく、また、ボビン１０８からの引出し線１０６が不要であることからボビン１０８の振動のバランスが良く歪みが無くなり、さらには、引出し線１０６が振動しないために機械的に破損しにくいという特性を有する。
【０００６】
また、外磁型のスピーカ装置１２０は、図７及び図８に示すように、リング状のマグネット１２１と、このマグネット１２１の底面の中央開口部１２２を閉塞するように設けられるヨーク１２３とを有する。また、このマグネット１２１には、その上面に中央開口部１２２の内方にやや突出してリング状の外周プレート１２４が設けられている。一方、ヨーク１２３には、マグネット１２１の中央開口部１２２を挿通するようにして円柱状のポールピース１２５が立設されている。そして、このポールピース１２５には、その上端部に音声信号が供給される１次コイル１２６が設けられている。そして、この１次コイル１２６の引出し線１２９は、ポールピース１２５の外周面に沿ってヨーク１２３の下側まで延在され、ヨーク１２３に沿って外方に導かれている。また、このポールピース１２５の上端部外周面は、外周プレート１２４に設けられた開口部１２７の端面とで磁気ギャップ１２８を構成している。
【０００７】
この磁気ギャップ１２８には、ボビン１３０が配設され、このボビン１３０の外周面には、上記１次コイル１２６と対向して１ターンの２次コイル１３１が設けられている。そして、このボビン１３０には、外広がりに形成された振動板１３２の内周側が取り付けられている。この振動板１３２には、その外周側にエッジ部１３３が形成されており、このエッジ部１３３が図示しないがフレームに固定されている。さらには、この振動板１３２には、その中央領域に磁気回路内に塵芥が進入しないように、全体としてドーム状を呈したキャップ１３４が取り付けられている。
【０００８】
このように構成されたスピーカ装置１２０は、１次コイル１２６に電流が供給されると、２次コイル１３１が誘導されてローレンツ力により振動板１３２が振動される。そして、このようなスピーカ装置１２０によれば、１次コイル１２６が熱伝導特性に優れた金属材料により形成されるポールピース１２５に直接巻回されることから、大きな信号を入力した場合にも熱的に破損しにくく、また、ボビン１３０からの引出し線１２９が不要であることからボビン１３０の振動のバランスが良く歪みが無くなり、さらには、引出し線１２９が振動しないために機械的に破損しにくいという特性を有する。
【０００９】
【発明が解決しようとする課題】
しかしながら、上述した内磁型のスピーカ装置１００は、図５に示すように、２次コイル１０９に誘導電流が流れた場合には、金属材料により形成されるポールピース１０５にも誘導電流が流れてしまうことになる。このポールピース１０５に流れる誘導電流は、振動板１１０の振動に何等寄与するものではないため、効率を低下させてしまうことになる。また、外磁型のスピーカ装置１２０の場合にあっても、図７に示すように、２次コイル１３１に誘導電流が流れた場合には、金属材料により形成される外周プレート１２４にも誘導電流が流れてしまうことになる。この外周プレート１２４に流れる誘導電流は、同様に振動板１３２の振動に何等寄与するものではないため、効率を低下させてしまうことになる。すなわち、誘導電流は、振動板１１０、１３２の振動に影響を与える２次コイル１０９、１３１にのみ流れることが理想的である。
【００１０】
また、外磁型のスピーカ装置１２０は、１次コイル１２６の引出し線１２９をポールピース１２５内を通し、内から外に引き出さなければならず、その組立て作業が困難であった。
【００１１】
そこで、本発明は、不要な誘導電流が流れないようにすると共に、引出し線の外部への引き出しを容易に行うことのできるスピーカ装置を提供することを目的とする。
【００１２】
【課題を解決するための手段】
本発明に係るスピーカ装置は、上述のような課題を解決すべく、外周プレートに固定して取り付けられると共に音声信号が入力される１次コイルと、１次コイルと対向するように磁気ギャップを介して内周側に位置してボビンに取り付けられる２次コイルと、ボビンに取り付けられる振動板と、磁気ギャップ内に２次コイルを位置させる磁気回路とを備える。そして、１次コイルの引出し線は、外周プレートの内周側から外周側に亘って設けられた切欠部に配設される。したがって、スピーカ装置は、外周プレートが終端開放リングとなり誘導電流が流れることが防止されると共に、この切欠部に引出し線を配設することでその取付け作業を容易に行うことができる。
【００１３】
【発明の実施の形態】
以下、本発明に係るスピーカ装置について図面を参照しながら詳細に説明する。第１の実施例であるスピーカ装置１は、内磁型のスピーカ装置に本発明を適用したものである。
【００１４】
このスピーカ装置１は、例えば図１及び図２に示すように、マグネット１と、外周プレートを構成するこのマグネット２を囲むように形成された全体として略凹状を呈したヨーク３とを有する。このヨーク３は、その上側に設けられた開口部４の周縁に音声信号が供給される１次コイル５が設けられている。そして、このヨーク３には、内周側から外周側に亘って縦方向に貫通した切欠部６が形成されている。この切欠部６は、その幅が約１ｍｍ程度とされている。そして、この切欠部６には、１次コイル５の引出し線７が配設され、スピーカ装置１の外部へと引き出されている。したがって、スピーカ装置１は、切欠部６に引出し線７を配設することができることから容易に組立て作業を行うことができる。なお、この引出し線７は、熱伝導特性に優れた接着剤により切欠部６に接着固定される。
【００１５】
マグネット２には、その上面に円盤状の金属材料により形成されたポールピース８が接着固定されている。このポールピース８は、その外周端面と、この外周端面と対向するヨーク３の開口部４を構成する端面とで磁気ギャップ９を構成している。
【００１６】
この磁気ギャップ９には、円筒状のボビン１１が配設されている。このボビン１０８には、その外周面に、１次コイル５と対向して１ターンの２次コイル１２が設けられている。そして、このボビン１１には、全体としてドーム状を呈した振動板１３が取り付けられている。そして、この振動板１３は、その側縁から連続してエッジ部１１１が湾状に設けられその端部がヨーク３の上面に接着固定されている。
【００１７】
このように構成されたスピーカ装置１は、１次コイル５に電流が供給されると、２次コイル１２に誘導電流が流れ、ローレンツ力により振動板１３を振動させる。そして、このようなスピーカ装置１は、１次コイル５が熱伝導特性に優れた金属材料により形成されるヨーク３に直接巻回されることから、大きな信号を入力した場合にも熱的に破損しにくく、また、ボビン１１から引出し線７を引き出す必要が無いことから、ボビン１１の振動のバランスが良く歪みが無くなり、さらには、引出し線７が振動しないために機械的に破損しにくくすることができる。
【００１８】
また、スピーカ装置１は、上述の通りヨーク３に、内周側から外周側に亘って切欠部６が形成されている。したがって、スピーカ装置１は、２次コイル１２に誘導電流が流れた場合に、金属材料により形成されるポールピース８に誘導電流が流れることが防止される。すなわち、ヨーク３は、その上面に切欠部６を形成することで、終端開放リングのように機能させ誘導電流が流れないようにされる。
【００１９】
以上のようにスピーカ装置１は、外周プレートを構成するヨーク３の上面に切欠部６を構成することで、引出し線７のスピーカ装置１外部への引き出し作業が容易にされると共に、振動板１３の振動には不要なポールピース８に電流が流れることが防止され、スピーカ特性の向上を図ることができる。
【００２０】
なお、以上切欠部６について、ヨーク３の上面を貫通して形成された場合について説明したが、この切欠部６は、必ずしも貫通させる必要はなく、例えば凹状の溝とすることで、電流を流れにくくすることも可能である。
【００２１】
次に、第２のスピーカ装置２０について、図３及び図４を用いて詳細に説明する。このスピーカ装置２０は、本発明を外磁型のスピーカ装置１に適用したものである。
【００２２】
また、スピーカ装置２０は、リング状のマグネット２１と、このマグネット２１の底面の中央開口部２２を閉塞するように設けられるヨーク２３とを有する。また、このマグネット２１には、その上面に中央開口部２２の内方にやや突出して金属材料よりなるリング状の外周プレート２４が設けられている。この外周プレート２４には、その内周側端面に１次コイル２５が設けられている。また、この外周プレート２４には、内周側から外周側に亘って設けられた切欠部２６が設けられている。この切欠部２６は、幅１ｍｍで縦方向に貫通して形成され、上記１次コイル２５の引出し線２７が配設される。したがって、スピーカ装置２０は、切欠部２６に引出し線２７を配設することができることから容易に組立て作業を行うことができる。なお、この引出し線２７は、熱伝導特性に優れた接着剤により切欠部２６に接着固定される。
【００２３】
ヨーク２３には、マグネット２１の中央開口部２２を挿通するようにして円柱状のポールピース２８が立設されている。また、このポールピース２８の上端外周面は、外周プレート２４に設けられた開口部２９の端面とで磁気ギャップ３１を構成している。
【００２４】
この磁気ギャップ３１には、ボビン３２が配設され、このボビン３２の外周面には、上記１次コイル２５と対向して１ターンの２次コイル３３が設けられている。そして、このボビン１３０には、外広がりに形成された振動板３４の内周側が接着固定されている。この振動板３４には、その外周側にエッジ部３５が形成されている。このエッジ部３５は、図示しないがフレームに固定されている。さらには、この振動板３４には、その中央領域に磁気回路内に塵芥が進入しないように、全体としてドーム状を呈したキャップ３６が配設されている。
【００２５】
このように構成されたスピーカ装置２０は、１次コイル２５に電流が供給されると、２次コイル３３が誘導されてローレンツ力により振動板３４が振動される。そして、スピーカ装置２０は、１次コイル１２６が熱伝導特性に優れた金属材料により形成される外周プレート２４に直接巻回されることから、大きな信号を入力した場合にも熱的に破損しにくく、また、ボビン３２からの引出し線２７が不要であることからボビン３２の振動のバランスが良く歪みが無くなり、さらには、引出し線２７が振動しないために機械的に破損しにくくなる。
【００２６】
また、スピーカ装置２０は、上述の通り外周プレート２４に、内周側から外周側に亘って切欠部６が形成されている。したがって、スピーカ装置１は、外周プレート２４に誘導電流が流れることが防止される。すなわち、外周プレート２４は、その上面に切欠部２６を形成することで、終端開放リングのように機能させ誘導電流が流れないようにされる。さらには、スピーカ装置２０は、上述した上記図７及び図８に示したスピーカ装置１２０と異なり、１次コイル２５を外周プレート２４に設けることで、引出し線２７を外周方向に引き出しやすくしている。
【００２７】
以上のようにスピーカ装置２０は、１次コイル２５を外周プレート２４の開口部２９に設けその上面に切欠部２６を形成することで、引出し線２７のスピーカ装置２０外部への引き出し作業が容易にされると共に、振動板１３の振動には不要な外周プレート２４に誘導電流が流れることが防止され、スピーカ特性の向上を図ることができる。
【００２８】
なお、以上切欠部２６について、外周プレート２４の上面を貫通して形成された場合について説明したが、この切欠部２６は、必ずしも貫通させる必要はなく、例えば凹状の溝とすることで、誘導電流を流れにくくすることも可能である。
【００２９】
【発明の効果】
本発明に係るスピーカ装置によれば、１次コイルの引出し線が外周プレートの内周側から外周側に亘って設けられた切欠部に配設されることから、外周プレートが終端開放リングとなり誘導電流が流れることが防止されると共に、この切欠部に引出し線を配設することでその取付け作業を容易に行うことができる。また、本発明に係るスピーカ装置は、１次コイルが外周プレートに設けられることから、１次コイルの引出し線の引き出し作業が容易となる。
【図面の簡単な説明】
【図１】第１の実施例である内磁型のスピーカ装置の縦断面図である。
【図２】同スピーカ装置の平面図である。
【図３】第２の実施例である外磁型のスピーカ装置の縦断面図である。
【図４】同スピーカ装置の平面図である。
【図５】従来の内磁型のスピーカ装置の縦断面図である。
【図６】同スピーカ装置の平面図である。
【図７】従来の外磁型のスピーカ装置の縦断面図である。
【図８】同スピーカ装置の平面図である。
【符号の説明】
１  内磁型のスピーカ装置、２  マグネット、３  ヨーク、４  開口部、５  １次コイル、６  切欠部、７  引出し線、８  ポールピース、９  磁気ギャップ、１１  ボビン、１２  ２次コイル、１３  振動板
【図１】
0003733666.tif 000002
【図２】
0003733666.tif 000003
【図３】
0003733666.tif 000004
【図４】
0003733666.tif 000005
【図５】
0003733666.tif 000006
【図６】
0003733666.tif 000007
【図７】
0003733666.tif 000008
【図８】
0003733666.tif 000009